(57)【特許請求の範囲】
【請求項１】
電子情報を購入する電子情報購入端末と、
該電子情報購入端末から受信した本人認証用コードを認証与信装置に転送すると共に全体が複数の部分に分割された暗号化電子情報を電子購入端末に順次転送する電子情報管理装置とから構成され、
前記電子情報管理装置は前記認証与信装置における認証及び与信が否認されない場合は該認証後も前記暗号化電子情報の転送を継続し、前記暗号化電子情報の転送完了段階で前記暗号化電子情報の解読キーの送信及び課金処理を行うと共に、否認された場合は前記電子情報の転送を中断して前記電子情報購入端末に対して転送した前記電子情報を削除する削除命令を送信することを
特徴とする電子情報取引システム。
【請求項２】
電子情報購入端末から送られてきた本人認証用コードを認証与信装置に転送する認証依頼手段と、
電子情報購入端末からの電子情報の購入要求があると預金残高の確認による与信情報の転送を認証与信装置に要求する与信依頼手段と、
電子情報の購入要求があると認証処理及び与信処理の終了如何によらず前記電子情報購入端末に対して全体が複数の部分に分割された暗号化された前記電子情報を電子購入端末に順次転送を開始し、前記認証与信装置から認証、与信が否認されない場合は該認証後も暗号化された前記電子情報の転送を継続し、暗号化された前記電子情報の転送完了段階で暗号化された前記電子情報の解読キーの送信及び課金処理を行うと共に、認証、与信が否認された情報を受信したときは暗号化された前記電子情報の転送を中断して前記電子情報購入端末に対して転送した暗号化された前記電子情報を削除する削除命令を送る転送処理手段と、
を備えたことを特徴とする電子情報管理装置。
【請求項３】
コンピュータを、
電子情報購入端末からの会員登録の依頼により本人認証用コードを認証与信装置に対して転送し認証処理を要求する認証処理要求手段、
電子情報購入端末からの電子情報の購入要求があると認証与信装置に対して預金残高の確認による与信処理を要求する与信処理要求手段、
電子情報の購入要求があると認証処理及び与信処理の終了如何によらず前記電子情報購入端末に対して全体が複数の部分に分割され暗号化された前記電子情報を電子購入端末に順次転送を開始し、認証、与信が否認されない場合は該認証後も暗号化された前記電子情報の転送を継続し、暗号化された前記電子情報の転送完了段階で暗号化された前記電子情報の解読キーの送信及び課金処理を行うと共に、認証、予審が否定されたときは暗号化された前記電子情報の転送処理を中断して前記電子情報購入端末に対して転送した暗号化された前記電子情報を削除する削除命令を送る電子情報転送手段、
として機能させるためのプログラムを記録したコンピュータ読み取り可能な記憶媒体。
【発明の詳細な説明】
【０００１】
【発明の属する技術分野】
本発明は、通信ネットワークを利用して暗号化された電子情報を宅配する電子情報取引きシステム、電子情報管理装置、電子情報管理プログラムを格納した記憶媒体および認証与信処理プログラムを格納した記憶媒体に関する。
電子情報購入端末、電子情報管理装置および認証与信装置よりなる電子情報取引きシステムにおいては、通信ネットワークを利用して暗号化された電子情報、例えばソフトウエア、画像データ、電子本などのデジタルコンテンツ情報を電子情報購入端末（パソコン）に転送する。
【０００２】
この電子情報取引きシステムにおいては、データ転送が完了した後は、回線障害などで通信がとぎれた場合でも、電子情報は暗号化されており、ユーザはその電子情報をそのまま利用することはできない。
このような電子情報取引きシステムにおいては、リアルタイム性が重要であり、より早く、確実に電子情報を宅配、課金することが重要である。したがって、電子情報取引きにおける処理時間を短縮することができる電子情報取引きシステム、電子情報管理装置、電子情報管理プログラムを格納した記憶媒体および認証与信処理プログラムを格納した記憶媒体の開発が要望されている。
【０００３】
【従来の技術】
従来の電子情報取引きシステムとしては、例えば図７に示すようなものがある。
図７において、１０１は暗号化された電子情報を購入する電子情報購入端末、１０２は電子情報を管理して宅配を行う電子情報管理装置、１０３は認証処理および与信処理を行う認証与信装置である。
【０００４】
これらの電子情報購入端末１０１、電子情報管理装置１０２および認証与信装置１０３が全体として電子情報取引きシステム１０４を構成している。電子情報購入端末１０１と電子情報管理装置１０２は通信ネットワークで接続され、電子情報管理装置１０２と認証与信装置１０３はオンラインで接続されている。認証与信センターとしての認証与信装置１０３は、電子情報管理装置１０２とは別の場所に設けても良い。
【０００５】
電子情報購入端末１０１は、購入した電子情報を格納するディスク装置１０５を有する。電子情報購入端末１０１は、電子情報管理装置１０２に対して会員登録を依頼し、会員登録完了通知を受ける。
会員登録完了通知を受けると、電子情報購入端末１０１は電子情報管理装置１０２に対して電子情報の購入を要求し、電子情報の転送を受ける。転送が完了すると、電子情報購入端末１０１は購入確認の通知を電子情報管理装置１０２に対して行い、その後課金処理の通知を受ける。
【０００６】
電子情報管理装置１０２は、会員登録部１０６、認証依頼部１０７、購入処理部１０８、与信依頼部１０９、転送処理部１１０および課金処理部１１１を有する。
会員登録部１０６は電子情報購入端末１０１からの会員登録依頼を受け付け、認証が完了したら会員登録完了通知を行う。認証依頼部１０７は会員登録の依頼により認証与信装置１０３に対して認証処理を要求し、購入処理部１０８は電子情報購入端末１０１からの購入要求を受けて購入処理を行う。
【０００７】
与信依頼部１０８は購入要求により認証与信装置１０３に対して与信処理を要求し、回答を得る。転送処理部１１０は与信がＯＫのときは電子情報購入端末１０１に対して暗号化された電子情報の転送を開始し、転送終了で暗号解除キーを送信し、与信がＮＧのときは転送処理を行わない。
暗号解除キーを送信して、購入確認の通知を受けると、課金処理部１１１は電子情報購入端末１０１に対して課金処理を行う。
【０００８】
認証与信装置１０３は、認証処理部１１２および与信処理部１１３を有する。認証処理部１１２は電子情報管理部１０２からの認証処理の要求を受けて認証処理を行い、ＯＫかＮＧかを回答する。
すなわち、認証処理部１１２はクレジットカードＮo.の確認により認証処理を行う。与信処理部１１３は電子情報管理装置１０２からの与信処理の要求を受けて、与信処理を行い、ＯＫかＮＧかを回答する。すなわち、与信処理部１１３は会員の預金残高の確認を行うことで与信処理を行う。
【０００９】
次に、図８は処理シーケンスを示す図である。
図８に示すように、電子情報の宅配の処理は、会員登録、認証、購入、与信、転送、課金の順に行われる。認証処理および与信処理が完了した後に、電子情報の転送処理が行われ、課金処理が行われる。
図９は図７の動作を説明する説明図である。
【００１０】
図９において、電子情報管理装置１０２は、電子情報購入端末１０１より会員登録の依頼を受け付けると、本人であるかどうか認証処理を認証与信装置１０３に依頼する（Ｓ２１）。
次に、認証が完了し、ＯＫのときは、電子情報管理装置１０２は電子情報購入端末１０１に会員ＩＤを登録し、認証がＮＧのときは、会員登録を行わず、処理を終了とする（Ｓ２２）。
【００１１】
次に、電子情報購入端末１０１より購入要求があったときは、電子情報管理装置１０２は与信処理を認証与信装置１０３に依頼する（Ｓ２３）。
次に、与信がＮＧのときは、電子情報管理装置１０２は電子情報を電子情報購入端末１０１に送信しないで終了とし、与信がＯＫのときは、電子情報の転送を開始する（Ｓ２４）。
【００１２】
次に、転送が終了したときは、電子情報管理装置１０２は電子情報購入端末１０１に暗号解除キーを送信する（Ｓ２５）。そして、電子情報購入端末１０１より購入確認を受け付けると（Ｓ２６）、電子情報管理装置１０２は、電子情報購入端末１０１に対して課金処理を行う（Ｓ２７）。
【００１３】
【発明が解決しようとする課題】
しかしながら、このような従来の電子情報の取引きシステムにあっては、認証処理および与信処理が完了してから電子情報の転送処理、課金処理を行うため、電子情報の宅配時間が長くなるという問題があった。
本発明は、このような従来の問題点に鑑みてなされたものであって、電子情報の転送処理と並行して認証処理および与信処理を行うことで、電子情報の宅配時間を短縮することができる電子情報取引きシステム、電子情報管理装置、電子情報管理プログラムを格納した記憶媒体および認証与信処理プログラムを格納した記憶媒体を提供することを目的とする。
【００１４】
【課題を解決するための手段】
この目的を達成するために、本発明は、次のように構成する。
本発明の電子情報取引きシステムは、暗号化された電子情報を購入する電子情報購入端末１と、電子情報購入端末１からの購入依頼を受けて認証および与信を認証与信装置５に依頼し、電子情報を電子情報購入端末１に転送処理する電子情報管理装置２と、電子情報管理装置２からの依頼により認証処理および与信処理を行う認証与信装置５と、を備え、転送処理と認証処理および与信処理を並行して行うようにした。
【００１５】
本発明の電子情報管理装置は、電子情報購入端末１からの会員登録の依頼により認証与信装置に対して認証処理を依頼する認証依頼手段１３と、電子情報購入端末１からの暗号化された電子情報の購入要求があると認証与信装置５に対して与信処理を依頼する与信依頼手段１５と、電子情報の購入要求があると認証処理および与信処理が終了していなくても認証処理と与信処理に並行して電子情報購入端末１に対して電子情報の転送を開始し、認証、与信結果がオーケーのときは転送処理後に暗号解除キーを送信し、認証、与信結果がノーグッドのときは電子情報の転送処理を中断して削除命令を送る転送処理手段１７と、を備える。
【００１６】
本発明の記憶媒体は、電子情報購入端末１からの会員登録の依頼により認証与信装置に対して認証処理を依頼し、電子情報購入端末１からの暗号化された電子情報の購入要求があると認証与信装置５に対して与信処理を依頼し、電子情報の購入要求があると認証処理および与信処理が終了していなくても認証処理と与信処理に並行して電子情報購入端末に対して電子情報の転送を開始し、認証、与信処理結果がオーケーのときは転送処理後に暗号解除キーを送信し、認証、与信処理結果がノーグッドのときは電子情報の転送処理を中断して削除命令を送る電子情報管理プログラムを格納している。
【００１７】
また、本発明の他の記憶媒体は、電子情報管理装置２から認証処理要求を受けると、メモリに予め格納されているクレジットコードＮo.を参照して本人かどうかの認証処理を行って、認証結果を電子情報管理装置２に応答する認証処理手段２０と、電子情報管理装置２からの与信処理要求を受けると、メモリ内に予め格納されている預金残高を参照して与信処理を行って、与信結果を電子情報管理装置２に応答する与信処理手段と、を備える。
【００１８】
このような構成を備えた本発明の電子情報取引きシステム、電子情報管理装置および電子情報管理プログラムを格納した記憶媒体によれば、認証処理と与信処理に並行して暗号化された電子情報の転送処理を行うので、電子情報の宅配時間を短縮することができる。
【００１９】
【発明の実施の形態】
図２は本発明の一実施形態を示すブロック図である。
図２において、１はパソコンよりなる電子情報購入端末であり、電子情報購入端末１は通信ネットワークを介して電子情報管理装置２に接続されている。電子情報管理装置２は記憶媒体としての第１のメモリ３に、暗号化された電子情報を電子情報購入端末１に対して宅配するための電子情報管理プログラム４を格納しており、認証与信センターとしての認証与信装置５にオンラインで接続されている。
【００２０】
電子情報購入端末１、電子情報管理装置２および認証与信装置５は全体として暗号化された電子情報、例えばソフトウエア、画像データ、電子本などのデジタルコンテンツ情報を電子情報購入端末１に宅配するための電子情報取引きシステム６を構成している。
電子情報購入端末１にはディスク装置７が接続され、ディスク装置７には購入された電子情報が格納される。電子情報購入端末１は、会員登録部８、購入処理部９、転送処理部１０および課金処理部１１を有する。
【００２１】
会員登録部８は、会員登録を電子情報管理装置２に依頼し、電子情報管理装置２から仮の会員ＩＤを受け取る。会員登録の依頼状の例を図３に示す。
会員登録の依頼状には、例えば名前（漢字、ローマ字）、郵便番号、住所、電話番号、クレジットコードＮo.、生年月日、性別、Ｅ−ｍａｉｌなどが記入される。特にクレジットコードＮo.は、本人であるかどうかを認証するために用いられる。
【００２２】
購入処理部９は暗号化された電子情報の購入要求を電子情報装置２に対して行う。購入処理部２は、例えば図４に示すような購入リストを画面上に作成し、購入要求を行う。購入リストには図４に示すように、例えば作品名と導入価格、合計価格などが表示される。
転送処理部１０は電子情報管理装置２からの電子情報の転送開始から転送終了の間に電子情報を受け取り、転送終了のとき暗号解除キーを受け取り、また、正式会員ＩＤを受け取る。
【００２３】
また、転送処理部１０は電子情報管理装置２から電子情報の削除命令を受けたときは、電子情報の削除処理を行い、また、暗号解除キーを受けとったときは、電子情報管理装置２に購入確認の通知を行う。課金処理部１１は電子情報管理装置２からの課金処理の通知を受けとる。
電子情報管理装置２には、会員登録部１２、認証依頼手段としての認証依頼部１３、購入処理部１４、与信依頼手段としての与信依頼部１５、転送処理手段としての転送処理部１６、課金処理部１７および第１〜第３メモリ３，１８，１９がそれぞれ設けられている。
【００２４】
会員登録部１２は、電子情報購入端末１より会員登録の依頼を受け付け（Ｓ１）、認証後に仮の会員ＩＤを電子情報購入端末１に対して発行する（Ｓ２）。
認証依頼部１３は、会員登録の依頼を受け付けると、認証与信装置５に対して認証処理を要求し、認証与信装置５より認証処理の応答を受けると、第２のメモリ１８に認証結果を格納する。
【００２５】
購入処理部１４は電子情報購入端末１からの暗号化された電子情報の購入要求を受け取り、購入処理を行う（Ｓ３）。電子情報の購入要求を受け付けると、与信依頼部１５は認証与信装置５に対して与信処理の依頼を行い、認証与信装置５からの応答を受けると、第３のメモリ１９に与信結果を格納する。
転送処理部１６は、電子情報購入端末１から購入要求があると、認証処理および与信処理が完了していなくても認証処理および与信処理に並行して電子情報の転送を開始し、認証、与信結果がＯＫのときは転送処理後に暗号解除キーを送信し、認証、与信結果がＮＧのときは転送処理を中断して削除命令を送る。
【００２６】
すなわち、転送処理部１６は電子情報を電子情報購入端末１に転送を開始し（Ｓ４）、転送を終了する（Ｓ５）。また、転送処理部１６は認証、与信結果がＯＫのときに転送が終了すると、電子情報購入端末１に暗号解除キーを転送する（Ｓ８）。
また、転送処理部１６は認証、与信結果がＯＫのときは電子情報購入端末１に正式会員ＩＤを発行する（Ｓ９）。一方、転送処理部１６は認証、与信結果がＮＧのときは、転送を中断して、削除命令を電子情報購入端末１に発信する（Ｓ７）。また、転送処理部１６は電子情報購入端末１から購入確認の通知を受ける（Ｓ１０）。
【００２７】
課金処理部１７は購入確認の通知を受けると、課金処理を電子情報購入端末１に対して行う（Ｓ１１）。また、電子情報管理装置２内には、記憶媒体としての第１のメモリ３に電子情報管理プログラム４を格納している。第２のメモリ１８には認証結果が格納され、第３のメモリ１９には与信結果が格納される。
認証与信装置５内には認証処理部２０、与信処理部２１および第４，第５のメモリ２２，２３がそれぞれ設けられている。認証処理部２０は、電子情報管理装置２から認証処理要求を受けると、第４のメモリ２２に予め格納されているクレジットコードＮo.を参照して本人かどうかの認証処理を行って、認証結果を電子情報管理装置２に応答する。
【００２８】
与信処理部２１は、電子情報管理装置２からの与信処理要求を受けると、第５のメモリ２３内に予め格納されている預金残高を参照して与信処理を行って、与信結果を電子情報管理装置５に応答する。
図５は処理シーケンスを示す図である。
図５において、会員登録の受け付けの後に、認証処理および与信処理と並行して暗号化されて電子情報の購入処理および転送処理を並行して行う。そして、最後に課金処理を行う。
【００２９】
図６は処理シーケンスを説明する説明図である。
図６において、まず、Ｓ１で電子情報管理装置２の会員登録部１２は電子情報購入端末１からの会員登録の依頼を受け付け、認証依頼部１３から認証与信装置５に対して認証処理を要求する。
次に、Ｓ２で会員登録部１２は、認証処理が完了しなくても電子情報購入端末１に仮の会員ＩＤを発行する。
【００３０】
次に、Ｓ３で電子情報購入端末１より暗号化された電子情報の購入要求を受けると、購入処理部１４は購入要求を受け付け、Ｓ４で転送処理部１６は電子情報購入端末１に暗号化された電子情報の転送を開始する。電子情報の転送は、例えば１／５ずつ行う。
電子情報の転送中に認証与信装置５から認証処理完了の応答があると、認証依頼部１３は認証結果を第２のメモリ１８に格納する。この認証結果がＮＧのときは、Ｓ６で転送処理部１６は電子情報の電子情報購入端末１に対する転送を中断する。
【００３１】
一方、Ｓ４で電子情報の転送を開始すると、与信依頼部１５は認証与信装置５に対して与信処理を要求する。電子情報の転送中に認証与信装置５から与信処理の完了の応答があると、与信処理部１５は与信結果を第３のメモリ１９に格納する。
この与信結果がＮＧのときは、Ｓ６で転送処理部１６は電子情報の電子情報購入端末１に対する転送を中断する。このように、認証、与信結果がＮＧで転送を中断した場合には、Ｓ７で電子情報購入端末１に対して転送処理部１６は電子情報の削除命令を発行する．
一方、Ｓ５で転送が正常に終了すると、Ｓ８で転送処理部１６は電子情報購入端末１に対して暗号解除キーを送信する。次にＳ９で転送処理部１６は正式会員ＩＤを電子情報購入端末１に送信する。次にＳ１０で電子情報購入端末１より購入確認の通知を受けると、Ｓ１１で課金処理部１６は電子情報購入端末１に対して課金処理を行う。
【００３２】
このように、本実施形態においては、認証処理および与信処理と並行して電子情報の転送処理を行うようにしたため、電子情報の宅配時間の短縮を図ることができる。なお、認証与信装置５は、電子情報管理装置１とは別の場所に接地するようにしても良い。
【００３３】
【発明の効果】
以上説明してきたように、本発明によれば、認証処理および与信処理と並行して電子情報管理装置から電子情報購入端末に対する暗号化された電子情報の転送処理を行うようにしたため、電子情報の宅配時間を短縮することができる。
【図面の簡単な説明】
【図１】本発明の原理説明図
【図２】本発明の第１実施形態を示すブロック図
【図３】会員登録の依頼状の例を示す図
【図４】購入リストの例を示す画面
【図５】処理シーケンスを示す図
【図６】処理シーケンスの説明図
【図７】従来例を示すブロック図
【図８】従来の処理シーケンスを示す図
【図９】従来の処理シーケンスの説明図
【符号の説明】
１：電子情報購入端末
２：電子情報管理装置
３：第１のメモリ（記憶媒体）
４：電子情報管理プログラム
５：認証与信装置
６：電子情報取引きシステム
７：ディスク装置
８，１２：会員登録部
９，１４：購入処理部
１０，１６：転送処理部（１６転送処理手段）
１１，１７：課金処理部
１３：認証依頼部（認証依頼手段）
１５：与信依頼部（与信依頼手段）
１８：第２のメモリ
１９：第３のメモリ
２０：認証処理部
２１：与信処理部
２２：第４のメモリ
２３：第５のメモリ
【図１】
0004390868.tif 000002
【図２】
0004390868.tif 000003
【図３】
0004390868.tif 000004
【図４】
0004390868.tif 000005
【図５】
0004390868.tif 000006
【図６】
0004390868.tif 000007
【図７】
0004390868.tif 000008
【図８】
0004390868.tif 000009
【図９】
0004390868.tif 000010